(57)【要約】      （修正有）【課題】長傘をキャリーバッグに対して邪魔にならないように保持すること。【解決手段】物を収納する本体ケース１の外側平面部２に２本のアーム３が平行に設けられる。アーム３は伸縮可能であって、上端にはハンドル４が渡される。前記アーム３とアーム３との間にはプレート５が設けられ、このプレート５に対して平面的に収まる姿勢と略垂直に突出する姿勢をとり得るフラップ６を上下に２枚有し、当該フラップ６にはそれぞれ傘Ｕ等の保持対象物を挿通する穴が設けられている。傘Ｕを上のフラップ６の穴から通し、傘Ｕの先端を下のフラップ６の穴に挿通する。傘Ｕは、フラップ６の穴により保持される。傘Ｕは、外側面部に立てた状態で保持されるところ、伸縮式のアーム３に略平行に保持されることから、キャリーカートから上方に突出するアーム３と空間的に近接する位置に傘Ｕが位置するので、キャリーカートの使用時にも邪魔にならない。【選択図】図１
2015080510.tif 000002
【特許請求の範囲】
【請求項１】
物を収納する本体ケースの外側平面部に２本のアームが平行に設けられると共に、これらのアームは伸縮可能であって、このアームとアームとの上端にはハンドルが渡されており、前記アームとアームとの間にはプレートが設けられ、このプレートに対して平面的に収まる姿勢と略垂直に突出する姿勢をとり得るフラップを上下に複数有し、当該フラップにはそれぞれ傘その他の保持対象物を挿通する穴が設けられていることを特徴とするキャリーバッグ。
【請求項２】
前記フラップは、前記プレートに対して上下で２枚設けられており、上のフラップの前記穴が大径、下のフラップの前記穴が前記上のフラップの穴より小径であり且つ傘の先端が挿通できる径であることを特徴とする請求項１に記載のキャリーバッグ。
【請求項３】
更に、前記上のフラップの穴はペットボトルが挿通可能な径であり、前記下のフラップの穴はペットボトルが挿通不可な径であることを特徴とする請求項２に記載のキャリーバッグ。
【請求項４】
前記プレートは、前記本体ケースの外側平面部に設けた凹部に開閉可能に取り付けられ、当該プレートと凹部との間に収納スペースを形成していることを特徴とする請求項１〜３のいずれか一つに記載のキャリーバッグ。
【発明の詳細な説明】
【技術分野】
【０００１】
本発明は、長傘等を保持できるキャリーバッグに関するものである。
【背景技術】
【０００２】
従来から、特許文献１に記載されているようなキャリーバッグのカバーが知られている。このカバーは、全体が袋状に形成され、キャリーバッグの上から被せて用いる。このカバーの側面部には、傘を収納する傘収納ホルダが設けられる。傘収納ホルダは、縦方向に長尺の袋状であり、上部の開口から傘を挿入する。
【先行技術文献】
【特許文献】
【０００３】
【特許文献１】実用新案登録３１１２５９７号公報
【発明の概要】
【発明が解決しようとする課題】
【０００４】
しかしながら、上記従来のキャリーバッグのカバーでは、傘収納ホルダが有底であり、キャリーバッグの側面部に設けていることから、折り畳み傘を収納することはできても、普通の傘を収納することはできないという問題点がある。また、傘収納ホルダに無理に普通の傘を差し込むと、当該傘収納ホルダが側面部に設けられていることから、キャリーバッグの側面から傘が上方に突出することになり邪魔になる。本発明は、係る問題点を解決するためになされたものである。
【課題を解決するための手段】
【０００５】
本発明のキャリーバッグは、物を収納する本体ケースの外側平面部に２本のアームが平行に設けられると共に、これらのアームは伸縮可能であって、このアームとアームとの上端にはハンドルが渡されており、前記アームとアームとの間にはプレートが設けられ、このプレートに対して平面的に収まる姿勢と略垂直に突出する姿勢をとり得るフラップを上下に複数有し、当該フラップにはそれぞれ傘その他の保持対象物を挿通する穴が設けられていることを特徴とする。
【０００６】
本発明のキャリーバッグは、上記発明において、前記フラップが、前記プレートに対して上下で２枚設けられており、上のフラップの前記穴が大径、下のフラップの前記穴が前記上のフラップの穴より小径であり且つ傘の先端が挿通できる径であることを特徴とする。
【０００７】
本発明のキャリーバッグは、上記発明において、更に、前記上のフラップの穴はペットボトルが挿通可能な径であり、前記下のフラップの穴はペットボトルが挿通不可な径である。
【０００８】
本発明のキャリーバッグは、上記発明において、前記プレートは、前記本体ケースの外側平面部に設けた凹部に開閉可能に取り付けられ、当該プレートと凹部との間に収納スペースを形成していることを特徴とする。
【図面の簡単な説明】
【０００９】
【図１】この発明の実施の形態に係るキャリーバッグを示す斜視図である。
【図２】図１に示したキャリーバッグのホルダを示す説明図である。
【図３】図２に示したホルダの平面図である。
【図４】図２に示したホルダの側面図である。
【図５】図２に示したホルダの上面図である。
【図６】図２に示したホルダの底面図である。
【図７】図１に示したキャリーバッグの使用態様を示す右側面図である。
【図８】図１に示したキャリーバッグの使用態様を示す背面図である。
【図９】図１に示したキャリーバッグの使用態様を示す上面図である。
【図１０】傘を保持した場合を示す説明図である。
【図１１】ペットボトルを保持した場合を示す説明図である。
【発明を実施するための形態】
【００１０】
図１は、この発明の実施の形態に係るバッグを示す組立図である。図２は、図１に示したバッグのホルダ及び凹部を示す説明図である。図３は、図２に示したホルダの平面図、図４は側面図、図５は上面図、図６は底面図である。このキャリーバッグ１００は、所定容量の衣服類その他を収納、保管するソフトキャリー又はハードキャリー等である。このキャリーバッグ１００は、物を収納する本体ケース１の外側平面部２に２本のアーム３が平行且つ略垂直方向に設けられる。これらのアーム３は伸縮可能であって、このアーム３とアーム３との上端にはハンドル４が渡されている。
【００１１】
前記アーム３とアーム３との間にはホルダ５０が設けられる。ホルダ５０は、ＡＢＳ樹脂又はアルミニウム製の長方形のプレート５と、このプレート５に対して平面的に収まる状態と略垂直に突出する状態の姿勢をとり得るフラップ６とを有し、当該フラップ６はアーム３の長手方向上下に２個設けられる。アーム３は、外側平面部２の内側に埋め込まれるように配置され、本体ケース１の外側平面部２とは面一となる。また、本体ケース１の外側平面部２の前記アーム３とアーム３の間には、収納スペースを形成する凹部として、矩形の収納箱７が設けられる。収納箱７は、プラスチック製のボックス形状の部材７ｂを前記アーム３の間の開口スペースに嵌め込んでボルトで止めた構成である。なお、収納箱７を外側平面部２に一体成形しても良い（図示省略）。この場合、外側平面部２に収納箱７と同一内部形状の凹部が前記アーム３の間に形成される。収納箱７は、本体ケース１内部に過剰に突出しないように浅底とするのが好ましい。また、収納箱７の底面７ａに開閉部を設け、本体ケース１を開いた際に本体ケース１の内側から内部に収納したものを取り出せたり収納できるようにしても良い（図示省略）。なお、説明便宜のため、図１の左側に、収納箱７を外側平面部２に装着した状態を記載した。また、収納箱７の全体を理解するため、本体ケース１から外した状態も図中央に記載した。
【００１２】
前記プレート５は、プレート板５ａおよびプレート枠５ｂとからなり、前記収納箱７に取り付けられる。なお、図１では、プレート５は、収納箱７に嵌め込んだ状態で外側平面部２と面一になる。図２（ａ）及び（ｂ）に示すように、プレート板５ａの長辺には取付軸６７ａが設けられ、図２（ｃ）及び（ｄ）に示すように、プレート枠５ｂの支持部６７ｂで前記取付軸６７ａを回転可能に支持する。プレート枠５ｂは、矩形であり中央に収納のための開口６８が設けられている。なお、プレート板５ａがプレート枠５ｂに対して開閉可能であれば、この他の公知の構造を採用できる。また、プレート板５ａにはフック部６６ａが設けられる。このフック部６６ａは、プレート枠５ｂの対応する係止部６６ｂに係止することで、プレート板５ａをプレート枠５ｂに閉じた状態で保持する。かかる構造により、プレート枠５ｂを収納箱７に取り付ければ、プレート板５ａを開閉することで収納箱７に物を入れ、収納することができる。
【００１３】
また、アーム３は、本体ケース１の内側に突出することになるところ、前記収納箱７がアーム３とアーム３との間に形成されるので、収納箱７が独自に突出部を形成するようなことはなく、本体ケース１の内側ではアーム３とアーム３との間全体が厚みを有するような凹凸が少ないすっきりした構造となる。
【００１４】
前記フラップ６は、ＡＢＳ樹脂又はアルミニウム製の板体からなり、底辺６１が直線となり突出端６２が円弧形状となる。中央には穴６３が設けられる。フラップ６は、底辺６１で前記プレート５に対して回転可能に連結する。プレート５には、当該フラップ６を収納するフラップ凹部６４が上下２つ形成され、このフラップ凹部６４はフラップ形状と相似形状となる。フラップ６の回転軸は底辺６１に沿って設けられ両側に突出し、この回転軸はフラップ凹部６４の内側壁に設けた軸受に入り、当該フラップ６をプレート５に対して回転可能とする。また、フラップ凹部６４の前記底辺６１に対応する部分は、フラップ６をプレート５面に対して略垂直に開いたとき、フラップ６の平面の前記底辺６１の周縁がフラップ凹部６４の内側壁に当接し、当該フラップ６が略垂直の姿勢を保つ。フラップ６が当該姿勢を保つ構造は、これらの構造に限定されず、フラップ６の底辺６１に垂直方向に小さい突起を設けて、この突起がプレート５の面に当接することでフラップ６を開いた状態でプレート５に対して略垂直の姿勢を保つようにしても良い（図示省略）。
【００１５】
フラップ６の突出端には、指で開閉する際の摘み部６２が設けられている。この摘み部６２は、フックの機能を備えており、フラップ凹部６４の前記突出端に対応する部分には、当該フックが係止する突起が形成され、フラップ６を閉じた際に前記フックが突起に係止して、当該フラップ６が閉じた姿勢を保つようにしてある。なお、フラップ６のプレート５に対する係止構造は、これに限定されずその他の公知の構造を採用できる。
【００１６】
上のフラップ６に設けた穴６３Ｕは、長傘を挿通可能であり、好ましくは飲料水が入ったペットボトルを挿通可能な径とする。具体的には、上のフラップ６の穴の直径は、６０ｍｍ以上１１０ｍｍ以下とする。一方、下のフラップ６に設けた穴６３Ｌは、普通の傘の先端を挿通して当該先端からある程度の深さまで押し込むことが可能であり、好ましくはペットボトルが通らない径とする。具体的には、３０ｍｍ以上５０ｍｍ以下とする。また、下のフラップ６の穴６３Ｌは、傘の先端が床につかないような径とする。
【００１７】
上下のフラップ６は、傘を安定して保持できる間隔で配置される。この間隔は、フラップ６を開いた状態で上下のフラップ６の間隔をいう。当該間隔は、好ましくはペットボトルを上部で保持できる間隔で配置する。具体的には、１００ｍｍ以上２２０ｍｍ以下とする。
【００１８】
また、上下のフラップ６は独立して開閉が可能である。傘の形式によっては、例えば上のフラップ６のみを使用して保持することもできる。
【００１９】
プレート５にロック機構を設けて施錠可能としても良い（図示省略）。なお、プレート５は収納箱７に対してボルト固定されているので、プレート５が破損しても容易に交換できる。
【００２０】
次に、このキャリーバッグ１００の動作を説明する。図７は、図１に示したキャリーバッグの使用態様を示す右側面図、図８はその背面図、図９は上面図を示す（正面図は省略する）。図１０は、傘を保持した場合を示す説明図である。図１１は、ペットボトルを保持した場合を示す説明図である。なお、前記図８では、ホルダ５０の未装着状態を示す。ホルダ５０の非使用状態では、フラップ６は、プレート５のフラップ凹部６４に収納されており、前記フックにより閉じた姿勢を維持する。この状態では、フラップ６とプレート５が面一になるので、本体ケース１の外側面に突起が生じない。このため、キャリーバッグ１００の取り扱い時に邪魔になるものがならず、且つ、すっきりした印象になる。また、旅行中に突起した部分から破損することがない。
【００２１】
ホルダ５０を使用するには、前記フックの摘み部６２に指を掛けて上下のフラップ６を引き出し、それぞれ略９０度回転させる。フラップ６は、底辺周縁がフラップ凹部６４の内側壁に当接し、プレート５に対して略垂直の姿勢を保つ。傘Ｕを保持する場合、上のフラップ６の大径の穴６３Ｕに傘Ｕを閉じた状態（傘Ｕを完全に巻き付けてバンドで固定した状態でない単なる閉じた状態）で差し込み、続いて傘Ｕの先端を下のフラップ６の小径の穴６３Ｌに差し込む。傘Ｕは、フラップ６の穴６３Ｌに対して保持され且つ下の穴６３Ｌは小径であって閉じた状態の傘Ｕでも完全に通るものではないので、当該フラップ６によりキャリーバッグ１００の外側平面部２に傘Ｕを保持できる。
【００２２】
傘Ｕは、外側平面部２に立てた状態で保持されるところ、伸縮式のアーム３に略平行に保持されることから、キャリーバッグ１００から上方に突出するアーム３と空間的に近接する位置に傘Ｕが位置するので、キャリーバッグ１００の使用時にも邪魔にならない。また、キャリーバッグ１００の走行中に周囲の物や人に引っかかることがないので安全である。
【００２３】
次に、５００ｍｌの平均的な寸法および形状のペットボトルＰを保持する場合、上のフラップ６の穴６３Ｕに対してペットボトルＰを挿入する。そして、下のフラップ６でペットボトルＰの底を支持する。この状態で、ペットボトルＰは下のフラップ６により底を支持されると共に側面を上のフラップ６の穴６３Ｕで拘束されるので、ペットボトルＰがキャリーカートで保持される。下のフラップ６の穴６３Ｌの直径は、ペットボトルＰを挿通できる寸法ではないため、ペットボトルＰが下のフラップ６から落ちることがない。なお、穴６３Ｕの寸法により、各種の寸法及び形状のペットボトルＰを保持できる。
【００２４】
なお、上記例では保持対象物として傘ＵとペットボトルＰを挙げたが、これらに限定されない。傘ＵやペットボトルＰのような形状を備えた物であれば、上記ホルダ５０により保持可能である。
【００２５】
次に、プレート５内の収納スペースを使用する場合、フック部６６ａを押して係止部６６ｂとの係止を外し、当該プレート板５ａを開く。これにより、収納スペースが現れる。収納スペースに物を収納したら、プレート板５ａを閉じる。このようにすれば、アーム３とアーム３との間の空間を有効活用できる。
【００２６】
また、前記アーム３が、本体ケース１の外側平面部２に面一で埋め込む構造ではなく、外側平面部２から突き出して設けられる構造であっても、同様にアーム３間の空間の有効活用が可能である。
【符号の説明】
【００２７】
１００  キャリーバッグ
１  本体ケース
２  外側平面部
３  アーム
５０  ホルダ
５  プレート
６  フラップ
７  凹部
６３  穴
【図１】
2015080510.tif 000003
【図２】
2015080510.tif 000004
【図３】
2015080510.tif 000005
【図４】
2015080510.tif 000006
【図５】
2015080510.tif 000007
【図６】
2015080510.tif 000008
【図７】
2015080510.tif 000009
【図８】
2015080510.tif 000010
【図９】
2015080510.tif 000011
【図１０】
2015080510.tif 000012
【図１１】
2015080510.tif 000013